(57)【特許請求の範囲】
【請求項１】
プラテンガラスに載置された原稿を読み取り、読み取った画像データを出力する原稿読み取り装置であって、
前記プラテンガラス上面を開閉可能に取り付けられ、前記プラテンガラスとの対向面が透明性を有する原稿視認板となっているプラテンカバーと、
副走査方向に移動しながら前記プラテンガラスの下面側から原稿を読み取るスキャナーと、
前記プラテンガラスを挟んで前記スキャナーと対向して配置され、外乱光の前記スキャナーへの入射を遮る遮光部材と、
前記スキャナーと前記遮光部材とを副走査方向において連結する連結部材とを具備し、
前記遮光部材は、前記スキャナーによる原稿読み取り時に、前記プラテンガラスに載置された原稿を押さえる原稿押さえ部材であることを特徴とする原稿読み取り装置。
【請求項２】
プラテンガラスに載置された原稿を読み取り、読み取った画像データを出力する原稿読み取り装置であって、
前記プラテンガラス上面を開閉可能に取り付けられたプラテンカバーと、
副走査方向に移動しながら前記プラテンガラスの下面側から原稿を読み取るスキャナーと、
前記プラテンガラスを挟んで前記スキャナーと対向して配置され、外乱光の前記スキャナーへの入射を遮る遮光部材と、
前記スキャナーと前記遮光部材とを副走査方向において連結する連結部材とを具備し、
前記プラテンカバーは、透明性を有する原稿視認板と、前記原稿視認板と間隔をおいて配置され、透明性を有し、前記プラテンガラス上に載置された原稿を押さえる原稿押さえ板とを備え、
前記遮光部材は、前記原稿視認板と前記原稿押さえ板との間隙に配置され、
前記連結部材は、前記スキャナーと前記遮光部材とを磁気的に連結させることを特徴とする原稿読み取り装置。
【請求項３】
請求項１又は２記載の原稿読み取り装置と、
該原稿読み取り装置によって読み取られた画像データに基づいて画像形成を行う画像形成部とを具備することを特徴とする画像形成装置。
【発明の詳細な説明】
【技術分野】
【０００１】
本発明は、プラテンガラスに載置された原稿を読み取り、読み取った画像データを出力する原稿読み取り装置及び画像形成装置に関する。
【背景技術】
【０００２】
複写機、複合機等の画像形成装置に備えられた原稿読取装置は、プラテンガラス上に原稿を載置し、スキャナーによって原稿の下を走査して原稿を読み取るように構成されている。このとき、読み取り精度を高める目的として、プラテンガラス上に載置された原稿を押さえる原稿押さえカバーが設置されている。一方、原稿押さえカバーによってプラテンガラス上に載置された原稿が視認できなくなるため、原稿読み取り動作を行った後に、プラテンガラス上に原稿を置き忘れてしまうことがある。この原稿の置き忘れによって、外部への機密書類の漏洩や、個人情報の悪用等の虞が生じる。
【０００３】
そこで、プラテンガラス上に載置された原稿を検出するため原稿センサーを設けて、原稿の置き忘れをユーザーに報知する技術が提案されている（例えば、特許文献１参照）。また、原稿押さえカバーを、透明または半透明なプラスチックによって形成された原稿固定部と、原稿固定部の透明性または半透明性を損なわない程度の透明性を有し、原稿固定部に貼り合わされた遮光部とで構成し、プラテンガラス上に載置された原稿を視認可能にする技術が提案されている（例えば、特許文献２参照）。
【先行技術文献】
【特許文献】
【０００４】
【特許文献１】特開７−１７７２８８号公報
【特許文献２】実開平７−３９０５５号公報
【発明の概要】
【発明が解決しようとする課題】
【０００５】
しかしながら、特許文献１では、プラテンガラス上に載置された原稿を視認することができないため、ユーザーが報知音を聞き逃す、またはパネルの表示を見逃した場合、原稿の置き忘れが発生してしまう。また、特許文献２では、遮光部として透明性を有して光学的干渉を遮断することができる特殊な素材が必要となり、素材の選定及び調達が困難である。
【０００６】
本発明の目的は、上記問題点に鑑み、従来技術の問題を解決し、特殊な素材を用いることなく、プラテンガラス上に載置された原稿を視認可能にすることができる原稿読み取り装置及び画像形成装置を提供することにある。
【課題を解決するための手段】
【０００７】
本発明の原稿読み取り装置は、プラテンガラスに載置された原稿を読み取り、読み取った画像データを出力する原稿読み取り装置であって、前記プラテンガラス上面を開閉可能に取り付けられ、前記プラテンガラスとの対向面が透明性を有する原稿視認板となっているプラテンカバーと、副走査方向に移動しながら前記プラテンガラスの下面側から原稿を読み取るスキャナーと、前記プラテンガラスを挟んで前記スキャナーと対向して配置され、外乱光の前記スキャナーへの入射を遮る遮光部材と、前記スキャナーと前記遮光部材とを副走査方向において連結する連結部材とを具備し、前記遮光部材は、前記スキャナーによる原稿読み取り時に、前記プラテンガラスに載置された原稿を押さえる原稿押さえ部材であることを特徴とする。
また、本発明の原稿読み取り装置は、プラテンガラスに載置された原稿を読み取り、読み取った画像データを出力する原稿読み取り装置であって、前記プラテンガラス上面を開閉可能に取り付けられ、前記プラテンガラスとの対向面が透明性を有する原稿視認板となっているプラテンカバーと、副走査方向に移動しながら前記プラテンガラスの下面側から原稿を読み取るスキャナーと、前記プラテンガラスを挟んで前記スキャナーと対向して配置され、外乱光の前記スキャナーへの入射を遮る遮光部材と、前記スキャナーと前記遮光部材とを副走査方向において連結する連結部材とを具備し、前記プラテンカバーは、透明性を有する原稿視認板と、前記原稿視認板と間隔をおいて配置され、透明性を有し、前記プラテンガラス上に載置された原稿を押さえる原稿押さえ板を具備し、前記遮光部材は、前記原稿視認板と前記原稿押さえ板との間隙に配置され、前記連結部材は、前記スキャナーと前記遮光部材とを磁気的に連結させることを特徴とする。
また、本発明の画像形成装置は、上述の原稿読み取り装置と、該原稿読み取り装置によ
って読み取られた画像データに基づいて画像形成を行う画像形成部とを具備することを特
徴とする。
【発明の効果】
【０００８】
本発明によれば、ユーザーがプラテンガラス上に載置された原稿の有無を、視覚的に常に把握することが可能となる。そして、プラテンガラス上に載置された原稿を視認可能にしても、特殊な素材を用いることなく、外乱光のスキャナーへの入射を遮ることができるという効果を奏する。
【図面の簡単な説明】
【０００９】
【図１】本発明に係る画像形成装置の第１の実施の形態の構成を示す外観斜視図である。
【図２】本発明に係る画像形成装置の第１の実施の形態の内部構成を示す断面模式図である。
【図３】図１及び２に示す遮光部材とスキャナーとを連結する連結機構を示す図である。
【図４】図１乃至図３に示す遮光部材の構成を示す図である。
【図５】本発明に係る画像形成装置の第２の実施の形態の構成を示す外観斜視図である。
【図６】図６に示す遮光部材とスキャナーとを連結する連結機構の構成を示す図である。
【発明を実施するための形態】
【００１０】
次に、本発明の実施の形態を、図面を参照して具体的に説明する。
（第１の実施の形態）
第１の実施の形態の画像形成装置１は、複写機、複合機等の画像を形成する装置であり、図１を参照すると、原稿読み取り装置２と、本体部４と、操作部５とを備えている。原稿読み取り装置２は、本体部４の上部に配設されている。
【００１１】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１２】
原稿読み取り装置２の上面には、原稿を載置する原稿台として機能するプラテンガラス２１が配置されている。そして、原稿読み取り装置２の上面奥側に配置されたヒンジ機構１０によって、プラテンカバー３がプラテンガラス２１上面を開閉可能に取り付けられている。プラテンカバー３のプラテンガラス２１との対向面は、プラテンガラス２１上に載置された原稿の有無を視認できる程度の透明性を有した素材で構成され、原稿視認板３１として機能する。原稿視認板３１には、例えば、アクリル等の透明または半透明な樹脂系素材を用いることができる。
【００１３】
原稿視認板３１は、図２に示すように、プラテンカバー３を閉じた状態では、プラテンガラス２１と間隔をおいて配置される。原稿視認板３１とプラテンガラス２１との間の空間は、後述する遮光部材２６が副走査方向に移動するために形成されている。原稿読み取り装置２は、プラテンガラス２１の下面側から原稿を読み取るスキャナー２２を備えている。スキャナー２２は、ＬＥＤ（Light Emitting Diode）等を用いた光源２３と、ＣＣＤ（Charge Coupled Device）ラインセンサーやＣＭＯＳ（Complementary Metal Oxide Semiconductor）ラインセンサー等からなる受光部２４とを備えている。スキャナー２２は、受光部２４が配置されている主走査方向と直交する副走査方向に移動可能に構成されている。スキャナー２２のホームポジションは、図２に示すように、プラテンガラス２１から待避した待避位置にあり、操作部５の操作ボタン５２によって原稿の読み取りが指示されると、プラテンガラス２１に対向する位置に移動する。そして、スキャナー２２は、プラテンガラス２１に載置された原稿を副走査方向に移動しながら読み取って画像データを取得し、取得した画像データを本体部４に出力する。
【００１４】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部として機能する。
【００１５】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙Ｐに定着させる。そして感光体ドラム６１上に残存するトナーは、クリーニング部６７によって除去される。
【００１６】
図１を参照すると、原稿読み取り装置２の上面には、板状の遮光部材２６が配置されていると共に、副走査方向に延びる開口２５が、プラテンガラス２１を挟んで両側にそれぞれ形成されている。開口２５は、図３に示すように、原稿読み取り装置２の上面に配置された遮光部材２６と、原稿読み取り装置２の内部に配置されたスキャナー２２とを連結する連結部材２７が貫通する貫通孔である。なお、図３は、遮光部材２６とスキャナー２２とを連結する連結機構を示す図であり、（ａ）は原稿読み取り装置２の斜視図であり、（ｂ）は遮光部材２６とスキャナー２２とを副走査方向から見た図である。
【００１７】
連結部材２７とスキャナー２２とは、固定されている。また、連結部材２７と遮光部材２６とは、連結部材２７には、上下方向に延びるガイド孔２７１が形成されていると共に、遮光部材２６には、ガイド孔２７１に貫挿されたガイドピン２６１が設けられている。これにより、遮光部材２６とスキャナー２２とは、連結部材２７によって副走査方向は固定され、上下方向に移動可能な状態で連結されている。
【００１８】
遮光部材２６は、連結部材２７によってスキャナー２２と副走査方向において固定されているため、スキャナー２２と共に副走査方向に移動される。従って、遮光部材２６のホームポジションも、図２に示すように、プラテンガラス２１から待避した待避位置であり、操作部５の操作ボタン５２によって原稿の読み取りが指示されると、スキャナー２２と共にプラテンガラス２１と対向する位置に移動し、スキャナー２２による読み取り動作に伴って副走査方向に移動する。そして、スキャナー２２による読み取り動作が終了すると、遮光部材２６は、スキャナー２２と共に、ホームポジションであるプラテンガラス２１から待避した待避位置に戻る。
【００１９】
遮光部材２６は、原稿の読み取りに用いる光、すなわちスキャナー２２の光源２３から放射され原稿で反射された光以外の外乱光がスキャナー２２の受光部２４に入射されることを遮るための遮光部材である。従って、遮光部材２６は、少なくともスキャナー２２の読み取りラインを包含する大きさを有し、プラテンガラス２１を挟んでスキャナー２２と対向して配置されている。
【００２０】
また、遮光部材２６のプラテンガラス２１との対向面には、図４（ａ）に示すように、回転軸が主走査方向に配置された小径ローラー２６２が設けられている。図４において（ｂ）は、（ａ）に示すＸ−Ｘ断面図である。小径ローラー２６２は、プラテンガラス２１の主走査方向の幅よりも長く、スキャナー２２の読み取りラインを挟んで副走査方向の前後にそれぞれ配置されている。遮光部材２６がプラテンガラス２１に対向する位置に移動すると、遮光部材２６に設けられた小径ローラー２６２がプラテンガラス２１上に載置された原稿に当接する。そして、遮光部材２６は、上下方向に移動可能であるため、その自重によって遮光部材２６に設けられた小径ローラー２６２がプラテンガラス２１上に載置された原稿を押さえる。従って、遮光部材２６（小径ローラー２６２）は、プラテンガラス２１上に載置された原稿を押さえる原稿押さえ部材としても機能する。なお、遮光部材２６をプラテンガラス２１に向けて付勢するバネ等の付勢手段を設けても良い。また、遮光部材２６と連結部材２７とを固定し、小径ローラー２６２をバネ等の付勢手段でプラテンガラス２１に向けて付勢するように構成しても良い。
【００２１】
以上説明したように、本実施の形態においては、プラテンガラス２１に載置された原稿を読み取り、読み取った画像データを出力する原稿読み取り装置２であって、プラテンガラス２１上面を開閉可能に取り付けられ、プラテンガラス２１との対向面が透明性を有する原稿視認板３１となっているプラテンカバー３と、副走査方向に移動しながらプラテンガラス２１の下面側から原稿を読み取るスキャナー２２と、プラテンガラス２１を挟んでスキャナー２２と対向して配置され、外乱光のスキャナー２２への入射を遮る遮光部材２６と、スキャナー２２と遮光部材２６とを副走査方向において連結する連結部材２７とを備えている。
この構成により、ユーザーがプラテンガラス２１上に載置された原稿の有無を、視覚的に常に把握することが可能となる。そして、プラテンガラス２１上に載置された原稿を視認可能にしても、特殊な素材を用いることなく、外乱光のスキャナー２２への入射を遮ることができ、スキャナー２２による原稿の読み取りを高精度で行うことができる。
【００２２】
さらに、本実施の形態においては、スキャナー２２及び遮光部材２６のホームポジションは、プラテンガラス２１から退避した退避位置である。
この構成により、遮光部材２６によってじゃまされることなく、プラテンガラス２１への原稿の載置を簡単に行うことができる。
【００２３】
さらに、本実施の形態においては、遮光部材２６は、スキャナー２２による原稿読み取り時に、プラテンガラス２１に載置された原稿を押さえる原稿押さえ部材として機能する。
この構成により、スキャナー２２による原稿読み取り時に、プラテンガラス２１に載置された原稿の押さえることができ、読み取り精度を高めることができる。
【００２４】
（第２の実施の形態）
図５及び図６を参照すると、第２の実施の形態のプラテンカバー３ａには、第１の実施の形態のプラテンカバー３の構成に加えて、プラテンガラス２１上に載置された原稿を押さえる原稿押さえ板３２が設けられている。原稿押さえ板３２も、原稿視認板３１と同様に、プラテンガラス２１上に載置された原稿の有無を視認できる程度の透明性を有した素材で構成されている。原稿押さえ板３２には、例えば、アクリル等の透明または半透明な樹脂系素材を用いることができる。
【００２５】
原稿押さえ板３２と、原稿視認板３１とは、図６に示すように、上下方向に間隔をおいて配置されている。そして、原稿押さえ板３２と原稿視認板３１との間隙に、板状の遮光部材２６ａが配置されている。なお、図６は、遮光部材２６ａとスキャナー２２とを副走査方向から見た図である。第２の実施の形態において、遮光部材２６ａは強磁性体で構成され、スキャナー２２には、プラテンカバー３ａが閉じられた状態で、原稿押さえ板３２を挟んで遮光部材２６ａを磁気的に連結する磁石等の磁気連結部材２８が取り付けられている。これにより、遮光部材２６ａもスキャナー２２と共に副走査方向に移動し、第１の実施の形態の遮光部材２６と同様に外乱光がスキャナー２２の受光部２４に入射することを遮る遮光部材として機能する。
【００２６】
なお、第２の実施の形態において、プラテンカバー３ａが開けられると、遮光部材２６ａとスキャナー２２との磁気的な連結は解消される。そこで、連結された遮光部材２６ａを検出する光センサー等の遮光部材検出センサーをスキャナー２２に設け、プラテンカバー３ａが閉じられると、読み取り動作に先立って、スキャナー２２と遮光部材２６ａとが磁気的に連結されているか否かを判断するように構成すると好適である。そして、スキャナー２２と遮光部材２６ａとが磁気的に連結されている場合には、そのまま原稿読み取り動作を開始させる。スキャナー２２と遮光部材２６ａとが磁気的に連結されていない場合には、プレスキャンによって、スキャナー２２と遮光部材２６ａとが磁気連結部材２８によって磁気的に連結されるまで、スキャナー２２を副走査方向に移動させるように構成すると良い。
【００２７】
また、第２の実施の形態では、遮光部材２６ａを原稿押さえとして用いる必要がないため、小径ローラー２６２を省略しても良い。この場合、遮光部材２６ａと原稿押さえ板３２との接触摩擦が生じてしまうため、原稿押さえ板３２と原稿視認板３１との間隙に水や油等の液体を充填し、充填した液体中に遮光部材２６ａを配置することもできる。さらに、遮光部材２６ａは、磁性粉体や磁性流体で構成することもできる。
【００２８】
以上説明したように、本実施の形態においては、プラテンカバー３ａは、原稿視認板３１と間隔をおいて配置された、透明性を有する原稿押さえ板３２を備え、遮光部材２６ａは、原稿視認板３１と原稿押さえ板３２との間隙に配置され、磁気連結部材２８は、スキャナー２２と遮光部材２６ａとを磁気的に連結させるように構成されている。
この構成により、原稿読み取り装置２の上面に、連結部材を貫通させるための開口２５を形成することなく、遮光部材２６ａとスキャナー２２とを連結させることができる。また、プラテンガラス２１に載置された原稿の全面を、視認可能な状態で原稿押さえ板３２によって押さえることができるため、載置された原稿のセットズレを発見しやすい。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３０】
１  画像形成装置
２  原稿読み取り装置
３、３ａ  プラテンカバー
４  本体部
５  操作部
６  記録部
１０  ヒンジ機構
２１  プラテンガラス
２２  スキャナー
２３  光源
２４  受光部
２５  開口
２６、２６ａ  遮光部材
２７  連結部材
２８  磁気連結部材
３１  原稿視認板
３２  原稿押さえ板
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  画像形成部
６５  転写部
６６  定着部
６７  クリーニング部
２６１  ガイドピン
２６２  小径ローラー
２７１  ガイド孔
【図１】
0006332220.tif 000002
【図２】
0006332220.tif 000003
【図３】
0006332220.tif 000004
【図４】
0006332220.tif 000005
【図５】
0006332220.tif 000006
【図６】
0006332220.tif 000007